(57)【要約】【課題】  記録光や参照光を所定の方向に案内するための構造を有し、高ＳＮ比を実現することができるホログラム記録媒体を提供する。【解決手段】  記録光と参照光とが重なるように照射されることでこれらの干渉パターンが記録されるホログラム記録層３と、このホログラム記録層３とともに層をなす他の層１，５とを有するホログラム記録媒体Ａであって、他の層５における所定の層面には、記録光および参照光を所定の方向に案内するためのトレースゾーン５０が設けられており、かつ、トレースゾーン５０は、所定の層面におけるその余のエリアよりも光の反射率が高くなるように構成されている。【選択図】  図３
2006155797.tif 000002
【特許請求の範囲】
【請求項１】
記録光と参照光とが重なるように照射されることでこれらの干渉パターンが記録されるホログラム記録層と、このホログラム記録層とともに層をなす他の層とを有するホログラム記録媒体であって、
上記他の層における所定の層面には、上記記録光および参照光を所定の方向に案内するためのトレースゾーンが設けられており、かつ、
上記トレースゾーンは、上記所定の層面におけるその余のエリアよりも光の反射率が高くなるように構成されていることを特徴とする、ホログラム記録媒体。
【請求項２】
上記トレースゾーンは、上記記録光および参照光を案内する方向とは直交する方向に沿って所定の間隔おきに設けられている、請求項１に記載のホログラム記録媒体。
【請求項３】
上記トレースゾーン間となる少なくとも１つのゾーン区間には、サーボ引き込み用の反射ゾーンが形成されている、請求項２に記載のホログラム記録媒体。
【請求項４】
上記他の層には、上記ホログラム記録層に対する対向面を上記所定の層面としてもつ透明基板層が含まれており、
上記トレースゾーンは、上記透明基板層の対向面に所定幅をもって形成された反射材充填溝または反射膜からなる、請求項１ないし３のいずれかに記載のホログラム記録媒体。
【請求項５】
上記他の層にはさらに、支持基板層が含まれており、
上記ホログラム記録層は、上記透明基板層と上記支持基板層との間に設けられている、請求項４に記載のホログラム記録媒体。
【発明の詳細な説明】
【技術分野】
【０００１】
本願発明は、記録光と参照光とが重なるように照射されることでホログラムが記録されるホログラム記録媒体に関する。
【背景技術】
【０００２】
従来のホログラム記録媒体としては、たとえば特許文献１に開示されたものがある。同文献所載のホログラム記録媒体は、円板状の基板の片面全体に透明誘電体層を積層し、さらにその上にホログラム材料層を積層して構成されており、全体的にはディスク状を呈している。基板との境界となる透明誘電体層の境界面には、トラックサーボ用のエンボスピットが１トラックにつき３個形成されており、１個のエンボスピットは、トラック上にちょうど位置する一方、その余の２個のエンボスピットは、トラックを挟んで互いに反対方向（径方向）にオフセットされた位置にある。たとえば記録時においては、基板側からエンボスピットが形成されている透明誘電体層の境界面に対して収束するように第１の記録用照射光（参照光）が照射されるとともに、ホログラム材料層側からその手前の位置で収束しつつ第１の記録用照射光と重なるように第２の記録用照射光（記録光）が照射される。これにより、ホログラム材料層には、第１および第２の記録用照射光が重なることで生じた干渉パターンがホログラムとして記録される。このとき、透明誘電体層の境界面で反射した第１の記録用照射光による反射光が光検出器によって再生信号に変換されるとともに、この再生信号に基づいて上記オフセットされた２個のエンボスピットに対応する振幅が等しくなるように光学系が変位させられ、このようにしてトラックサーボが行われる。
【０００３】
【特許文献１】特開平９−３０５９７８号公報
【発明の開示】
【発明が解決しようとする課題】
【０００４】
しかしながら、上記従来のホログラム記録媒体では、トラックサーボ用のエンボスピットのオフセット量が比較的小さいことから、第１の記録用照射光がエンボスピット間のすきまなどで回折されてしまい、こうして生じた回折光がホログラム材料層まで達する。そのため、回折光による不要な干渉パターンまでもホログラム材料層に記録されてしまう。また、参照光としての第１の記録用照射光は、エンボスピットによって強度変調されるため、記録時や再生時のＳＮ比が低レベルになりがちという難点があった。
【０００５】
本願発明は、上記した事情のもとで考え出されたものであって、記録光や参照光を所定の方向に案内するための構造を有し、高ＳＮ比を実現することができるホログラム記録媒体を提供することをその課題としている。
【課題を解決するための手段】
【０００６】
上記課題を解決するため、本願発明では、次の技術的手段を講じている。
【０００７】
本願発明によって提供されるホログラム記録媒体は、記録光と参照光とが重なるように照射されることでこれらの干渉パターンが記録されるホログラム記録層と、このホログラム記録層とともに層をなす他の層とを有するホログラム記録媒体であって、上記他の層における所定の層面には、上記記録光および参照光を所定の方向に案内するためのトレースゾーンが設けられており、かつ、上記トレースゾーンは、上記所定の層面におけるその余のエリアよりも光の反射率が高くなるように構成されていることを特徴としている。
【０００８】
好ましい実施の形態としては、上記トレースゾーンは、上記記録光および参照光を案内する方向とは直交する方向に沿って所定の間隔おきに設けられている。なお、上記トレースゾーン間の所定の間隔は、上記記録光の照射範囲内にたとえば２つのトレースゾーンしか含まれない程度の寸法とすることができる。
【０００９】
他の好ましい実施の形態としては、上記トレースゾーン間となる少なくとも１つのゾーン区間には、サーボ引き込み用の反射ゾーンが形成されている。
【００１０】
他の好ましい実施の形態としては、上記他の層には、上記ホログラム記録層に対する対向面を上記所定の層面としてもつ透明基板層が含まれており、上記トレースゾーンは、上記透明基板層の対向面に所定幅をもって形成された反射材充填溝または反射膜からなる。
【００１１】
他の好ましい実施の形態としては、上記他の層にはさらに、支持基板層が含まれており、上記ホログラム記録層は、上記透明基板層と上記支持基板層との間に設けられている。
【００１２】
このような構成によれば、たとえばトレースゾーンで反射した光が常に所定の反射強度となるようにサーボ用の光を記録光とともに照射すると、当該記録光を所定の案内方向となるトレースゾーンに沿って正確に移動させることができる。参照光については、記録光と同じ方向に移動させつつもトレースゾーン以外のエリアを通ってホログラム記録層に照射することができ、ホログラム記録層においては、トレースゾーン以外のエリアを透過した記録光と参照光とによる干渉パターンがホログラムとして記録される。したがって、本願発明に係るホログラム記録媒体によれば、記録光や参照光を所定の方向に案内するためのトレースゾーンを有し、このようなトレースゾーンによっても記録光や参照光が強度変調されることなくホログラム記録層に向けて効率良く照射されるため、高ＳＮ比を実現することができる。
【００１３】
本願発明のその他の特徴および利点は、添付図面を参照して以下に行う詳細な説明によって、より明らかとなろう。
【発明を実施するための最良の形態】
【００１４】
以下、本願発明の好ましい実施の形態を、図面を参照して具体的に説明する。図１〜７は、本願発明に係るホログラム記録媒体の一実施形態を示している。なお、図１は、記録時の状態を示し、図２は、再生時の状態を示している。
【００１５】
図１および図２に示されているように、本実施形態のホログラム記録媒体Ａは、各種の光学系を備えたホログラム記録装置Ｂとともに用いられるものである。図３によく示されているように、ホログラム記録媒体Ａは、支持基板層１、第１の誘電体層２、ホログラム記録層３、第２の誘電体層４、および透明基板層５をその順に積層した構造をもち、全体的にはディスク状を呈している。ホログラム記録装置Ｂは、コヒーレント光源８０、コリメータレンズ８１、第１および第２のビームスプリッタ８２，８３、記録光変調多分割ミラー８４、第１および第２の分割プリズム８５，８６、λ／４板８７、参照光２次元制御ミラー８８、および対物レンズ８９を備えており、その他の構成要素として特に図示しないが、ホログラム記録媒体Ａを回転させるための駆動系や、ホログラム記録媒体Ａからの反射光などを検出するための検出系を有して構成されている。
【００１６】
まず、ホログラム記録装置Ｂの構成について説明する。ホログラム記録装置Ｂのコヒーレント光源８０は、たとえば半導体レーザ素子からなり、記録時あるいは再生時に比較的帯域が狭く干渉性の高いコヒーレント光としてのレーザビームを出射する。コリメータレンズ８１は、コヒーレント光源８０から出射したレーザビームを平行ビームに変換する。特に図示しないが、コリメータレンズ８１から出射したレーザビームは、ビームエキスパンダなどを介して第１のビームスプリッタ８２へと導かれる。第１のビームスプリッタ８２は、入射したレーザビームを記録光変調多分割ミラー８４に向かうレーザビームと、これとは別の光路を経て参照光２次元制御ミラー８８へと向かうレーザビームとに分離する。
【００１７】
記録光変調多分割ミラー８４は、たとえば記録時の場合、入射したレーザビームを２次元的な情報を表す記録光に変調するとともに、この記録光を反射光として出射する。この記録光変調多分割ミラー８４のたとえば中央領域には、記録光とサーボ光とを分割するためのサーボ光分割用ミラー８４ａが貼着されている。これにより、記録光変調多分割ミラー８４の中央領域以外の領域からは記録光が出射する一方、当該中央領域に貼着されたサーボ光分割用ミラー８４ａからは、トラックサーボやフォーカスサーボに用いられるサーボ光が出射する。第１および第２の分割プリズム８５，８６は、記録光はそのまま通過させる一方、サーボ光はパワーをもつように変調し、これら記録光およびサーボ光を第２のビームスプリッタ８３へと導く。第２のビームスプリッタ８３は、記録光およびサーボ光をλ／４板８７や対物レンズ８９に向けて進行させる一方、ホログラム記録媒体Ａから対物レンズ８９およびλ／４板８７を通ってくる光を受け、この光を検出系へと導く。λ／４板８７は、透過する光に位相差π／２を与える。参照光２次元制御ミラー８８は、入射したレーザビームを参照光として反射しつつ、この参照光をλ／４板８７や対物レンズ８９に向けて進行させる。このような参照光２次元制御ミラー８８は、対物レンズ８９に対する参照光の入射角度を可変制御するものとして用いられる。対物レンズ８９は、その中央部に記録光やサーボ光を透過させつつホログラム記録媒体Ａの所定部位に集光させる一方、中央部より外側の部分を通じて上記ホログラム記録媒体Ａの所定部位で記録光と重なるように参照光を集光させる。対物レンズ８９の中央部とそれより外側の部分では、光学的特性が異なるように設計されている。このような対物レンズ８９は、トラックサーボやフォーカスサーボ、さらにはチルトサーボ用の電磁コイルなどによって動作させられるように構成されている。
【００１８】
検出系には、ホログラム記録媒体Ａから対物レンズ８９や第２のビームスプリッタ８３を通ってくる光のうち、トラックサーボやフォーカスサーボ用のサーボ光による反射光（以下、「反射サーボ光」と呼ぶ）を検出するためのフォトセンサ（反射サーボ光用）や、参照光による反射光（以下、「反射参照光」と呼ぶ）を検出するためのフォトセンサ（反射参照光用）が設けられている。反射サーボ光用のフォトセンサは、図７に示すように４個の分割センサ９Ａ〜９Ｄからなり、このような分割センサ９Ａ〜９Ｄによる受光パターンに基づいてトラックのずれやフォーカスのずれを検出する。特に図示しないが、反射参照光用のフォトセンサも４個の分割センサからなり、分割センサによる受光パターンに基づいてチルト量（対物レンズ８９の光軸に対するホログラム記録媒体Ａの傾き）を検出するように構成されている。また、検出系には、再生時に生じるホログラムによる光（以下、「再生光」と呼ぶ）を受光し、受光した再生光をデジタル信号に変換して２次元的な情報を取り出すように、たとえばＣＣＤエリアセンサあるいはＣＭＯＳエリアセンサからなる２次元ディテクタが設けられている。
【００１９】
次に、ホログラム記録媒体Ａの構成について説明する。図３によく示されているように、ホログラム記録媒体Ａの支持基板層１は、光を透過しない樹脂からなり、この支持基板層１とホログラム記録層３との間に第１の誘電体層２が設けられている。第１の誘電体層２は、誘電体多層膜からなり、この第１の誘電体層２は、ホログラム記録層３を透過してきた参照光を反射参照光として効率良く反射させるために設けられている。このような第１の誘電体層２は、支持基板層１とともにできる限り平坦な境界面をもつように形成されている。なお、支持基板層とホログラム記録層との間には、第１の誘電体層に代えて反射膜としての金属膜を設けてもよい。
【００２０】
ホログラム記録層３は、回折効率が比較的高くて感光性を有するたとえばフォトポリマーからなり、厚みが２００μｍ〜１ｍｍ程度のものである。このホログラム記録層３には、透明基板層５の側から記録光と参照光とが重なるように照射される。これにより、記録光と参照光との干渉パターンとしてのホログラムがホログラム記録層３に記録される。
【００２１】
第２の誘電体層４は、たとえば薄膜層としての誘電体多層膜あるいは単層の薄い金属膜からなる。この第２の誘電体層４は、透明基板層５を透過してきた参照光や記録光を効率良く透過させる一方、フォーカスサーボが可能となる程度にサーボ光を反射させるために設けられている。このような第２の誘電体層４もまた、ホログラム記録層３に対する境界面ができる限り平坦となるように形成されている。
【００２２】
透明基板層５は、記録光や参照光などが透過する樹脂からなり、この透明基板層５のホログラム記録層３に対する対向面には、ホログラム記録媒体Ａの周方向に沿うように複数のトレースゾーン５０が設けられている。これらのトレースゾーン５０は、その余のエリア（透明基板層５とホログラム記録層３との間に第２の誘電体層４のみが介在する領域）よりも光学的に反射率が高くなるように構成されており、このようなトレースゾーン５０ごとに周方向の単位記録領域となるトラックが形成されている。記録時や再生時においてホログラム記録媒体Ａが回転するとき、上記トレースゾーン５０に焦点が合うように上記サーボ光が照射され、トレースゾーン５０からの反射サーボ光が常に適正な状態で検出されるように対物レンズ８９が制御される。これにより、上記記録光や参照光は、トレースゾーン５０に追従して周方向に相対的に移動するように案内され、記録光や参照光の照射スポットがトラックからずれないように制御される。
【００２３】
上記トレースゾーン５０は、具体的には図４〜６に示す製造プロセスを経て形成される。まず、図４に示されているように、透明基板層５の原材となる円板状の透明基板５’を用意する。この透明基板５’の片面には、その径方向に沿って所定の間隔ｔおきに円弧状の溝５１を形成する。その後、図５に示されているように、各溝５１には、たとえばアルミニウムやクロムといった金属５２を反射材として充填する。これは、所定のマスクパターンを用いてスパッタや蒸着、もしくはメッキ処理により行われる。このとき、溝５１の開口よりある程度大きく金属５２が露出するように形成する。これにより、トレースゾーン５０は、上記反射材としての金属５２が充填された溝５１によって構成される。上記溝５１の深さや幅などは、サーボ光などの光学的特性に応じて決まる。たとえば、透明基板層５の屈折率を「ｎ」、サーボ光の波長を「λ」とした場合、溝５１の深さは、λ／（８×ｎ）程度である。また、サーボ光の波長λが４０７ｎｍであり、サーボ光の照射スポットの径が溝５１と平行な方向では０．６μｍで、溝５１に直交する方向で２．３μｍ程度の場合、溝５１の幅が１．９μｍ程度とされ、金属５２が露出した部分を含むトレースゾーン５０全体の幅としては、５〜６μｍ程度となる。この場合、トレースゾーン５０からの反射サーボ光に基づくトラックエラー信号をシミュレーションから求めると、図７に示されるような結果が得られる。これにより、溝５１の幅が１．９μｍ程度で十分にトラックサーボを行うことができることが理解できよう。なお、トレースゾーン５０間の間隔ｔは、２０〜５００μｍ程度とされ、記録光の照射スポット内にたとえば２つのトレースゾーン５０しか含まれない程度の寸法、すなわち記録光の照射スポットの径と同程度の寸法となる（図３参照）。
【００２４】
さらにその後、図６に示されているように、トレースゾーン５０の上から透明基板５’の片面全体を覆うように第２の誘電体層４をコーティングする。また、支持基板層１の原材となる円板状の支持基板を用意し、この支持基板の片面に第２の誘電体層２を形成する（図示略）。このようにして第２の誘電体層４を有する透明基板５’と第１の誘電体層２を有する支持基板とが得られると、第１および第２の誘電体層２，４を向かい合わせにした姿勢で型枠などに透明基板５’と支持基板とを所定の間隔だけ離した状態で保持する。そして、透明基板５’と支持基板との間に液状のフォトポリマーを注入し、このフォトポリマーを硬化させることで図３に示されるようにホログラム記録層３を中間層に有するホログラム記録媒体Ａが得られる。このような製造プロセスによれば、第１および第２の誘電体層２，４や透明基板層５などの境界面を平坦な面として簡単に形成しやすく、ひいてはコストダウンを容易に図ることができる。なお、第１および第２の誘電体層とホログラム記録層との接着性を高めるべく、これらの間には接着層を設けてもよい。
【００２５】
次に、ホログラム記録媒体Ａの作用について説明する。
【００２６】
図１に示すような記録状態に入る前、まずフォーカスサーボが行われる。フォーカスサーボでは、ホログラム記録媒体Ａが連続的に回転させられる間、コヒーレント光源８０から出射したレーザビームが、コリメータレンズ８１、第１のビームスプリッタ８２、記録光変調多分割ミラー８４およびサーボ光分割用ミラー８４ａ、第１および第２の分割プリズム８５，８６、第２のビームスプリッタ８３、λ／４板８７、対物レンズ８９を順次経ることにより、サーボ光としてホログラム記録媒体Ａに照射される。このとき、記録光は、記録光変調多分割ミラー８４を制御することによって照射されず、参照光もまた、参照光２次元制御ミラー８８を制御することによって照射されない。サーボ光は、透明基板層５とホログラム記録層３との間に第２の誘電体層４のみが介在するトレースゾーン５０以外のエリアに照射スポットが位置するように照射される。このようなフォーカスサーボによれば、上記エリアからの反射サーボ光に応じたフォーカスエラー信号に基づいて当該エリアに焦点が合うように対物レンズ８９がフォーカスロックされた状態となる。
【００２７】
次に、対物レンズ８９がフォーカスロックされた状態でトラックサーボが行われる。このトラックサーボにおいては、図８に示されているように、所望のトラックに対応するトレースゾーン５０に照射スポットが位置合わせされるようにサーボ光のみが照射され、記録光や参照光は照射されない。トレースゾーン５０で反射した反射サーボ光は、分割センサ９Ａ〜９Ｄによって検出される。たとえば、トレースゾーン５０の片側に対応する２つの分割センサ９Ａ，９Ｄによって検出された信号（Ａ＋Ｄ）と反対側の２つの分割センサ９Ｂ，９Ｃによって検出された信号（Ｂ＋Ｃ）との差分を、これらの信号の総和（Ａ＋Ｂ＋Ｃ＋Ｄ）で除算することにより、正負の値あるいは０の値からなるトラッキングエラー信号が求められる（図７参照）。このトラッキングエラー信号の値が０のとき、サーボ光の照射スポットが所望とするトレースゾーン５０に正確に位置合わせされた状態であり、トラックずれのない状態となる。一方、サーボ光がトレースゾーン５０からずれると、トレースゾーン５０が立体的構造をとるためにサーボ光が位相変調を起こし、分割センサ９Ａ〜９Ｄにより検出される信号の強さに偏りが生じることから、正または負の値からなるトラッキングエラー信号が得られる。このようなトラッキングエラー信号の値が０となるように対物レンズ８９を制御してトラックサーボが行われる。このとき、サーボ光は、立体的なトレースゾーン５０によって反射サーボ光としてほとんど反射されるため、サーボ光による回折光がホログラム記録層３に漏れることはない。これにより、トラックサーボ中にホログラム記録層３が記録前に感光されることはほとんどない。
【００２８】
以上のようにして所望とするトレースゾーン５０にサーボ光の照射スポットが位置合わせされると、チルトサーボが行われる。このチルトサーボにおいては、図３によく示されているように、サーボ光が位置合わせされたトレースゾーン５０のたとえば数１００μｍ以内の近傍を通るように参照光が照射されるとともに、トレースゾーン５０以外のエリアで反射した反射参照光が検出される。この反射参照光の分布に偏りがある場合、対物レンズ８９の光軸に対してホログラム記録媒体Ａが傾いた状態にあると判定される。このとき、たとえば対物レンズ８９を傾けることで傾きが補正される。なお、ホログラム記録媒体Ａを支持する回転軸を傾けることで傾きを補正するようにしてもよい。
【００２９】
このようにしてフォーカスサーボ、トラックサーボ、チルトサーボが行われた後、所望とするトレースゾーン５０上の所定の位置に合わせて記録光および参照光を照射する（図１参照）。これにより、記録光と参照光とがホログラム記録層３において重なり、ホログラム記録層３には、記録光および参照光による干渉パターンとしてのホログラムが記録される。このとき、図８に示されているように、サーボ光もトレースゾーン５０上に照射されるが、先述したようにサーボ光がホログラム記録層３に漏れることはないため、記録光および参照光のみによって効率良くホログラムが記録される。また、記録光の照射スポットの範囲内には、所望とする１つのトレースゾーン５０しか含まれず、このトレースゾーン５０の幅は、照射スポットの径に比べて十分小さいため、記録光が効率良く利用される。なお、一般的にホログラムを記録する際には、ホログラム記録媒体Ａが一旦停止した状態で例えばホログラム記録層３に対する参照光の入射角度がホログラム記録媒体Ａの径方向にシフトされ、これによりホログラムが多重的に記録される。この場合、記録光によって照射される領域が加熱されやすくなるが、この領域内に位置するトレースゾーン５０の光の反射率は１００％になるように設計されているため、トレースゾーン５０が熱による溶解などによって破壊や損傷に至ることはない。また、特殊な記録方式としては、ホログラム記録媒体Ａを連続的に回転させることで記録光と参照光との相対的になす角度を変更し、これによってホログラム記録媒体Ａの周方向にホログラムを多重的に記録する方式があり、このような特殊な記録方式を採用することも可能である。
【００３０】
一方、図２に示すような再生状態に入る前においても、上記記録状態に入る前と同様にフォーカスサーボ、トラックサーボ、およびチルトサーボが行われる。フォーカスサーボ、トラックサーボ、チルトサーボが行われた後、再生する際には、所望とするトレースゾーン５０上の所定の位置に合わせてサーボ光および参照光が照射される（図２参照）。これにより、ホログラム記録層３においては、記録済みのホログラムと参照光とに応じた再生光が発生し、この再生光が対物レンズ８９、λ／４板８７、第２のビームスプリッタ８３、を順次経て２次元ディテクタに受光される。これにより、２次元情報光によりホログラムとして記録された情報が再生される。このような再生時においても、サーボ光がホログラム記録層３に漏れることはないため、ホログラムとして記録された情報を効率良く読み出すことができる。
【００３１】
したがって、本実施形態に係るホログラム記録媒体Ａによれば、記録光と重なる位置にトレースゾーン５０が設けられているものの、このようなトレースゾーン５０によっても記録光や参照光がほとんど強度変調されることはなく、ホログラム記録層３に向けて記録光や参照光が効率良く照射されるため、記録時や再生時において高ＳＮ比を実現することができる。
【００３２】
なお、本願発明は、上記の実施形態に限定されるものではない。
【００３３】
他の実施形態としては、図９〜１１に示されるような構造を有するホログラム記録媒体であってもよい。図９〜１１においては、先述したホログラム記録媒体Ａの構成要素と同一または類似の構成要素に同一符号を付している。
【００３４】
図９に示されるホログラム記録媒体では、所定のトレースゾーン５０とトレースゾーン５０との間のゾーン区間全体にわたり、溝５１に充填したものと同材質の金属５２を一様な膜厚となるように形成することで、フォーカスサーボ引き込み用の反射ゾーン５３が形成されている。この反射ゾーン５３には、フォーカスサーボを行う際にサーボ光が照射される。このような反射ゾーン５３によれば、サーボ光の反射率が高まるため、フォーカスサーボの精度を高めることができるほか、前記した初期のフォーカスサーボに際してホログラム記録層３への余分な感光をも回避することができる。なお、フォーカスサーボ引き込み用の反射ゾーンは、たとえばホログラム記録媒体の最内周あるいは最外周のトレースゾーンに隣接して１つだけ設けてもよいし、あるいは所定の間隔おきに複数設けてもよい。
【００３５】
図１０に示されるホログラム記録媒体は、透光性をもつ支持基板層１’をホログラム記録層３の片側に設けたものである。このような両面透過型のホログラム記録媒体によれば、透明基板５側からホログラム記録層３に向けて照射された記録光や参照光は、ホログラム記録層３や支持基板層１’を透過して外部へと抜ける。そのため、記録光や参照光とは異なる波長でホログラム記録層３に感光しないコヒーレント光源とは別の光源が用いられ、この別光源の光がチルトサーボ用の光としてホログラム記録媒体に照射される。このチルトサーボ用の光は、参照光の照射スポットから離れた位置に照射されることとなり、その位置で反射した光がチルトサーボ用の分割センサによって検出される。このような両面透過型のホログラム記録媒体を用いる場合、再生光が支持基板層１’側に設置された２次元ディテクタによって検出されるように構成される。なお、チルトサーボ用の光は、図１０に示されているように透明基板層５とホログラム記録層３との間に設けられた第２の誘電体層４で反射するようにしてもよいし、あるいはホログラム記録層３と支持基板層１’との間に設けられた第１の誘電体層２で反射するようにしてもよい。
【００３６】
図１１に示されるホログラム記録媒体は、トレースゾーン５０を比較的小さい膜厚の反射膜５４により構成したものである。この反射膜５４は、たとえば誘電体多層膜あるいはアモルファス材料からなり、先述した実施形態と同様にサーボ光がずれると位相変調を起こすように構成されている。このような反射膜５４からなるトレースゾーン５０によっても、サーボ光がトレースゾーン５０でほとんど反射されることとなり、サーボ光による回折光がホログラム記録層３に漏れることはないため、ホログラム記録層３を感光させずに効率良くトラックサーボを行うことができる。
【００３７】
その他、特に図示しないが、ホログラム記録媒体の全体形状としては、たとえば平面視矩形状としてもよい。このようなホログラム記録媒体によれば、所定の辺に平行するように複数のトレースゾーンが形成され、記録時や再生時には、対物レンズに対してホログラム記録媒体がトレースゾーンと平行な方向に沿うように直線的に移動させられることとなる。もちろん、対物レンズなどといった光学系をトレースゾーンと平行な方向に直線的に移動させるようにしてもよい。
【００３８】
（付記１）
記録光と参照光とが重なるように照射されることでこれらの干渉パターンが記録されるホログラム記録層と、このホログラム記録層とともに層をなす他の層とを有するホログラム記録媒体であって、
上記他の層における所定の層面には、上記記録光および参照光を所定の方向に案内するためのトレースゾーンが設けられており、かつ、
上記トレースゾーンは、上記所定の層面におけるその余のエリアよりも光の反射率が高くなるように構成されていることを特徴とする、ホログラム記録媒体。
【００３９】
（付記２）
上記トレースゾーンは、上記記録光および参照光を案内する方向とは直交する方向に沿って所定の間隔おきに設けられている、付記１に記載のホログラム記録媒体。
【００４０】
（付記３）
上記トレースゾーン間となる少なくとも１つのゾーン区間には、サーボ引き込み用の反射ゾーンが形成されている、付記２に記載のホログラム記録媒体。
【００４１】
（付記４）
上記他の層には、上記ホログラム記録層に対する対向面を上記所定の層面としてもつ透明基板層が含まれており、
上記トレースゾーンは、上記透明基板層の対向面に所定幅をもって形成された反射材充填溝または反射膜からなる、付記１ないし３のいずれかに記載のホログラム記録媒体。
【００４２】
（付記５）
上記他の層にはさらに、支持基板層が含まれており、
上記ホログラム記録層は、上記透明基板層と上記支持基板層との間に設けられている、付記４に記載のホログラム記録媒体。
【００４３】
（付記６）
上記ホログラム記録層と支持基板層との間には、金属層または誘電体層が設けられている、付記５に記載のホログラム記録媒体。
【００４４】
（付記７）
上記ホログラム記録層と透明基板層との間には、誘電体層が設けられている、付記４ないし６のいずれかに記載のホログラム記録媒体。
【図面の簡単な説明】
【００４５】
【図１】本願発明に係るホログラム記録媒体の一実施形態を示す全体構成図である。
【図２】図１に示すホログラム記録媒体の再生時の状態を示す全体構成図である。
【図３】図１に示すホログラム記録媒体の断面図である。
【図４】図１に示すホログラム記録媒体の製造プロセスを説明するための説明図である。
【図５】図１に示すホログラム記録媒体の製造プロセスを説明するための説明図である。
【図６】図１に示すホログラム記録媒体の製造プロセスを説明するための説明図である。
【図７】図１に示すホログラム記録媒体の作用を説明するための説明図である。
【図８】図１に示すホログラム記録媒体の作用を説明するための説明図である。
【図９】本願発明に係るホログラム記録媒体の他の実施形態を示す斜視図である。
【図１０】本願発明に係るホログラム記録媒体の他の実施形態を示す断面図である。
【図１１】本願発明に係るホログラム記録媒体の他の実施形態を示す斜視図である。
【符号の説明】
【００４６】
１，１’  支持基板層
３        ホログラム記録層
５        透明基板層
５０      トレースゾーン
５１      溝
５２      金属（反射材）
５４      反射膜
Ａ        ホログラム記録媒体
Ｂ        ホログラム記録装置
【図１】
2006155797.tif 000003
【図２】
2006155797.tif 000004
【図３】
2006155797.tif 000005
【図４】
2006155797.tif 000006
【図５】
2006155797.tif 000007
【図６】
2006155797.tif 000008
【図７】
2006155797.tif 000009
【図８】
2006155797.tif 000010
【図９】
2006155797.tif 000011
【図１０】
2006155797.tif 000012
【図１１】
2006155797.tif 000013